(57)【要約】【課題】墜落防止具の固定装置を提供する。【解決手段】墜落防止具に本体を備え、本体に巻き取り装置と固定装置を内設され、巻き取り装置に巻き取り器を設けられ、巻き取り器の一端はブレーキに接続され、かつ巻き取り器に巻き取り輪を設けられ、巻き取り輪に安全ベルトを繞設され、巻き取り輪一端の外縁部に複数の固定溝を輪状に凹設され、固定装置に固定具とプッシャーを設けられ、固定具は間隔を置いて巻き取り輪の一端に枢設され、固定具の両端部にそれぞれ固定部と押し込み部を延設され、固定部の側面に固定溝の真正面に設けられた突起部を凸設され、プッシャーは押し込み部の一端に固設され、プッシャーは本体に露出されている。使用者より２回のプッシュを１サイクルとして、押し込み部を押し込んで揺動させ、突起部を突起部の固定溝に係合し固定する。【選択図】  図２
0003166531.tif 000002
【実用新案登録請求の範囲】
【請求項１】
墜落防止具の固定装置において、前記墜落防止具に本体を備え、本体に巻き取り装置と固定装置を内設され、
前記本体は上部ケースと下部ケースより組み合わせられ、かつ前記上部ケースと前記下部ケースとの間に前記本体の内部に固定されたブラケットを設けられている、
前記巻き取り装置に巻き取り器を設けられ、前記巻き取り器の一端にブレーキを接続され、前記巻き取り器は前記ブラケットに枢接された巻き取り輪を設けられ、前記巻き取り輪に安全ベルトを繞設され、かつ前記巻き取り輪一端の外縁部に複数の固定溝を輪状に凹設され、前記巻き取り輪に巻きばねを内部に接続され、
前記固定装置に固定具とプッシャーを設けられ、前記固定具は間隔を置いて前記巻き取り輪の一端に設けられ、前記固定具に基部を備え、前記基部は前記ブラケットに枢接され、前記基部の両端にそれぞれ固定部と押し込み部を延設され、前記固定部は前記巻き取り輪の付近部の側面に突起部を凸設され、前記突起部は前記固定溝の真正面に設けられ、かつ突起部の遠端に弾性素子を設けられ、前記弾性素子は前記本体を前記本体に支え、前記プッシャーは前記押し込み部の一端に設けられ、かつ前記プッシャーは前記本体に露出され、使用者より２回のプッシュを１サイクルとして、前記押し込み部を押し込んで揺動させ、前記突起部を前記固定溝に係合し固定するように構成したことを特徴とする墜落防止具の固定装置。
【請求項２】
前記ブラケットの一端に２つのローラーを並列に枢設され、前記安全ベルトは２つの前記ローラーの間より前記本体をくぐらす、前記固定具の前記基部は前記固定部の付近部位置に移動制限穴を設けられ、前記押し込み部の付近場所に枢接穴を設けられ、２つの前記ローラーの末端部はそれぞれ前記枢接穴および前記移動制限穴に枢接されていることを特徴とする請求項１記載の墜落防止具の固定装置。
【請求項３】
前記プッシャーは前記本体に固定された台座を設けられ、前記台座の一端は台に接続され、他端は前記本体を露出する前記押さえ部材を接続され、かつ前記台座に誘導部材を穿設され、前記誘導部材の一端に前記台座をくぐらした押し込み柱を延設され、前記誘導部材と前記台座との間に前記弾性素子を設けられ、前記押さえ部材は２回のプッシュを１サイクルに設定し、前記誘導部材を循環的に前記台座内部の両端部に固定させ、前記押し込み部に支えピンを凸設され、前記支えピンは前記支えピンの押し込みにより、押し込み部を揺動させることを特徴とする請求項１記載の墜落防止具の固定装置。
【考案の詳細な説明】
【技術分野】
【０００１】
本考案は一種の墜落防止具の固定装置に関し、特に防止具の安全ベルトを引き出しできない状態にする固定装置に関するものである。
【背景技術】
【０００２】
不注意による墜落事故を防止するため、高所での活動または作業に従事する者が転がり落ちるまたは墜落を防止するため、すべては墜落防止具を使用されている。墜落防止具は主に巻き取り装置を利用し巻き軸より安全ベルトの解放または巻き取りを制御することにより、安全ベルトの伸縮目的を達成するほか、ブレーキ装置を利用し安全ベルトによって巻き軸を回転駆動させ、巻き軸の瞬間速度が所定値に達したとき巻き軸の回転は制限される。
【考案の概要】
【考案が解決しようとする課題】
【０００３】
しかし、公知の墜落防止具の安全ベルトは使用者の位置に従い、巻き取りまたは引き出し状態になるため、障害を起きやすい。よって、前述課題をいかに解決することは、当業者の課題改善するところである。
【課題を解決するための手段】
【０００４】
本考案の主な目的は、固定装置を利用し墜落防止具の安全ベルトに長さを固定した状態に使用でき、使用者の使用に便利を提供する。
【０００５】
本考案の次の目的は、固定装置と墜落防止具のブレーキを分離して設置することにより、墜落防止具の構成品に変更を加わること必要がなく、簡単に固定装置を取り付けることができる。
【０００６】
前記目的を達成するため、本考案の墜落防止具の固定装置は主に本体を設けられ、本体に巻き取り装置と固定装置を内設する。巻き取り装置に巻き取り器を設けられ、巻き取り器の一端にブレーキを接続され、巻き取り器に巻き取り輪を設けられ、巻き取り輪に安全ベルトが繞設されており、巻き取り輪一端の外縁部に複数の固定溝を輪状に凹設されている。固定装置に固定具プッシャーを設けられ、固定具は間隔を置いて巻き取り輪の一端に枢設され、固定具の両端部はそれぞれ固定部と押し込み部を設けられている。固定部の側面に固定溝の真正面に設けられた突起部を凸設され、プッシャーは押し込み部の一端に固設され、プッシャーは本体に露出されている。使用者より２回のプッシュを１サイクルとして、押し込み部を押し込んで揺動させ、突起部を突起部の固定溝に係合し固定する。
【図面の簡単な説明】
【０００７】
【図１】本考案の側視図である。
【図２】本考案の局所分解立体図（その１）である。
【図３】本考案の局所分解立体図（その２）である。
【図４】本考案のプッシャー装置の立体図である。
【図５】本考案のプッシャー装置の分解立体図である。
【図６】本考案の動作態様図（その１）である。
【図７】本考案の動作態様図（その２）である。
【考案を実施するための形態】
【実施例】
【０００８】
図１ないし６を参照する。図から明かのように、本考案の墜落防止具の固定装置は主に本体１を備え、本体１に巻き取り装置２と固定装置３を内設されている。
【０００９】
そのうち、本体１は上部ケース１１と下部ケース１２より組み合わせられ、上部ケース１１と下部ケース１２との間に本体１の内部に固定されたブラケット１３を備え、ブラケット１３の一端に２つのローラー１３１を並列に枢設されている。
【００１０】
巻き取り装置２に巻き取り器２１を設けられ、巻き取り器２１の一端はブレーキ２２に接続され、巻き取り器２１はブラケット１３に枢接された巻き取り輪２１１を設けられ、巻き取り輪２１１に安全ベルト２３を繞設され、安全ベルト２３は２つのローラー１３１の間より本体１をくぐらしており、巻き取り輪２１１一端の外縁部に複数の固定溝２１２を輪状に凹設され、巻き取り輪２１１の内部に巻きばね２１３を接続されている。
【００１１】
固定装置３に固定具３１とプッシャー３２を設けられ、固定具３１は巻き取り輪２１１の一端に間隔を置いて設けられ、固定具３１は基部３１１を備え、基部３１１の両端部はそれぞれ固定部３１２と押し込み部３１３を延設され、基部３１１は固定部３１２の付近場所に長い移動制限穴３１１１を設けられ、押し込み部３１３の付近場所に枢接穴３１１２を設けられ、２つのローラー１３１の末端部はそれぞれ枢接穴３１１２に枢接し、移動制限穴３１１１の内部に位置され、固定部３１２は巻き取り輪２１１の近端の側面に突起部３１２１を凸設され、突起部３１２１は固定溝２１２の真正面に設けられ、突起部３１２１の遠端に弾性素子３１２２を接続され、弾性素子３１２２を本体１に支え、押し込み部３１３に支えピン３１３１を凸設されている。押し込み部３２は本体１内部に固定された台座３２１を備え、台座３２１は押し込み部３１３の一端に位置され、台座３２１の一端に台３２２を接続され、他端は本体１より露出する押さえ部材３２３に接続され、台座３２１に誘導部材３２４を穿設され、誘導部材３２４の一端は台３２２をくぐらす押し込み柱３２４１をくぐらしており、誘導部材３２４と台３２２との間に弾性素子３２５を設けられ、押さえ部材３２３の２回押すことを１サイクルとして、誘導部材３２４を循環的に台座３２１内部の両端部に固定させ、押し込み柱３２４１を押し込み部３１３に伸ばし、または台座３２１に引き込ませる。
【００１２】
図２ないし６を参照する。図から明かのように、安全ベルト２３を本体１より正常に引き出しまたは納めるとき、プッシャー３２の押さえ部材３２３を押すことにより、押し込み柱３２４１を押し込み部３１３伸ばせ、押し込み柱３２４１より支えピン３１３１を押し込み、押し込み部３１３が巻き取り輪２１１に揺動され、固定部３１２を巻き取り輪２１１の遠端に揺動させ、固定部３１２の突起部３１２１を巻き取り輪２１１の固定溝２１２より離され、巻き取り輪２１１を回転自在の状態にする。さらに、固定部３１２を巻き取り輪２１１の遠端に揺動するとき、固定部３１２によって弾性素子３１２２が弾性変形され、復帰能力を有する。
【００１３】
図２ないし５および図７を参照する。安全ベルト２３を本体１から引き出せない状態にするときは、プッシャー３２の押さえ部材３２３をもう一度押し込み、押し込み柱３２４１を台座３２１の内部に引き込む。このとき、支えピン３１３１は押し込み柱３２４１の支えが失われた後、いままで弾性素子３１２２の弾性変形によって発生する復帰能力を利用し、弾性素子３１２２が固定部３１２を押し込み、巻き取り輪２１１側に揺動させ、押し込み部３１３が巻き取り輪２１１の遠端に揺動させ、固定部３１２の突起部３１２１を巻き取り輪２１１の固定溝２１２に進入させ、安全ベルト２３を本体１より引き出すことができない。
【００１４】
さらに、使用者は安全ベルト２３を本体１より正常に引き出しまたは収納するときは、ふたたび押さえ部材３２３を押し込むことで実現できる。
【００１５】
よって、本考案によれば公知技術の不足と欠点が解決されるほか、効果を向上できる主な技術は、本考案の固定装置３は安全ベルト２３を一定の長さに固定させ、使用者の使用に便利を提供する。さらに固定装置３はブレーキ２２と分離して設置されているため、巻き取り装置２を改変することなく、固定装置３を簡単に取り付けることができる。さらに、固定装置３は２回の押し込みによって１サイクルを形成し、安全ベルト２３は本体１より引き出せないまたは移動自在状態にして、使用者が便利に使用できる。
【符号の説明】
【００１６】
１           本体
１１         上部ケース
１２         下部ケース
１３         ブラケット
１３１       ローラー
２           巻き取り装置
２１         巻き取り器
２１１       巻き取り輪
２１２       固定溝
２１３       巻きばね
２２         ブレーキ
２３         安全ベルト
３           固定装置
３１         固定具
３１１       基部
３１１１     移動制限穴
３１１２     枢接穴
３１２       固定部
３１２１     突起部
３１２２     弾性素子
３１３       押し込み部
３１３１     支えピン
３２         プッシャー
３２１       台座
３２２       台
３２３       押さえ部材
３２４       誘導部材
３２４１     押し込み柱
３２５       弾性素子
【図１】
0003166531.tif 000003
【図２】
0003166531.tif 000004
【図３】
0003166531.tif 000005
【図４】
0003166531.tif 000006
【図５】
0003166531.tif 000007
【図６】
0003166531.tif 000008
【図７】
0003166531.tif 000009